【手続補正書】
【提出日】平成29年12月7日(2017.12.7)
【手続補正１】
【補正対象書類名】明細書
【補正対象項目名】００３９
【補正方法】変更
【補正の内容】
【００３９】
上述した記載は、現時点で最も実用的な実施態様であると考えられるものに関する。しかしながら、本開示は、これらの実施態様に限定されるべきものではなく、それどころか添付の特許請求の主旨及び範囲内において種々の変形態様及び同等の配置を保護することを意図しており、法の下で認められるように、この範囲は、そのような変形態様及び同等の配置の全てを包含するように、最も広い解釈が認められるべきであることを理解すべきである。
本発明の実施態様の一部を以下の項目〈１〉−〈１７〉に記載する。
〈１〉液状カソード物質であって、
キノン；及び
フルオロアルキルスルホニル塩
を含有しており、
前記キノンが、還元又は酸化されている間に液体の形態で存在している、酸化還元活物質として機能する、
液状カソード物質。
〈２〉前記キノンが、構造Ｉの、置換されているか又は置換されていない１，４−ベンゾキノンである、項目１に記載の液状カソード物質：
【化１】
2016127017.tif 000001
（式中、Ｒ、Ｒ’、Ｒ”、及びＲ’”は、それぞれ独立してアルキル、アルコキシ又は水素である。）
〈３〉前記ベンゾキノンが、２−メチル−１，４−ベンゾキノン；２−ｔ−ブチル−１，４−ベンゾキノン；２，６−ジメチル−１，４−ベンゾキノン；２，６−ジ−ｔ−ブチル−１，４−ベンゾキノン；２−ｉ−プロピル−５−メチル−１，４−ベンゾキノン；及び２，３−ジメトキシ−５−メチル−１，４−ベンゾキノン；並びにこれらの混合物から成る群より選択される、項目２に記載の液状カソード物質。
〈４〉前記フルオロアルキルスルホニル塩が、リチウムビス（トリフルオロメチルスルホニル）イミド（ＬｉＴＦＳＩ），リチウムビス（ペンタフルオロエチルスルホニル）イミド（ＬｉＢＥＴＩ），リチウムトリフルオロメチルスルホネート，ナトリウムビス（トリフルオロメチルスルホニル）イミド（ＮａＴＦＳＩ），マグネシウムビス（ビス（トリフルオロメチルスルホニル）イミド（Ｍｇ（ＴＦＳＩ）２）、及びこれらの混合物から成る群より選択される、項目１に記載の液状カソード物質。
〈５〉液状流動化剤を更に含有している、項目１に記載の液状カソード物質。
〈６〉前記液状流動化剤が、水を含有している、項目５に記載の液状カソード物質。
〈７〉液状流動化剤：液状カソード物質の体積比が、１０％以下である、項目５に記載の液状カソード物質。
〈８〉電気化学セルであって、
アノードチャンバー；
カソード集電体及び液状カソード物質を有する、カソードチャンバー；並びに
前記アノードチャンバーと前記カソードチャンバーとの間に配置されている、半透過性のセパレーター
を具備しており、
前記カソード物質が、キノン及びフルオロアルキルスルホニル塩を含有している、
電気化学セル。
〈９〉前記キノンが、構造Ｉの、置換されているか又は置換されていない１，４−ベンゾキノンである、項目８の電気化学セル：
【化２】
2016127017.tif 000002
（式中、Ｒ、Ｒ’、Ｒ”、及びＲ’”は、それぞれ独立してアルキル、アルコキシ又は水素である。）
〈１０〉前記１，４−ベンゾキノンが、２−メチル−１，４−ベンゾキノン；２−ｔ−ブチル−１，４−ベンゾキノン；２，６−ジメチル−１，４−ベンゾキノン；２，６−ジ−ｔ−ブチル−１，４−ベンゾキノン；２−ｉ−プロピル−５−メチル−１，４−ベンゾキノン；２，３−ジメトキシ−５−メチル−１，４−ベンゾキノン；及びこれらの混合物から成る群より選択される、項目９の電気化学セル。
〈１１〉前記フルオロアルキルスルホニル塩が、リチウムビス（トリフルオロメチルスルホニル）イミド（ＬｉＴＦＳＩ）、リチウムビス（ペンタフルオロエチルスルホニル）イミド（ＬｉＢＥＴＩ）、リチウムトリフルオロメチルスルホネート、ナトリウムビス（トリフルオロメチルスルホニル）イミド（ＮａＴＦＳＩ）、マグネシウムビス（ビス（トリフルオロメチルスルホニル）イミド（Ｍｇ（ＴＦＳＩ）２）、及びこれらの混合物から成る群より選択される、項目８の電気化学セル。
〈１２〉前記電気化学セルが、フローセルであり、かつ前記アノードチャンバーが、酸化状態に関わらず液体であるアノード酸化還元活物質を含有している液状アノード物質を具備している、項目８の電気化学セル。
〈１３〉  電気化学セルを有する、自動車車両であって、前記電気化学セルが、：
アノードチャンバー；
カソード集電体及びカソード物質を有する、カソードチャンバー；並びに
前記アノードチャンバーと前記カソードチャンバーとの間に配置されている、半透過性のセパレーター；
を具備しており、
前記カソード物質が、キノン及びフルオロアルキルスルホニル塩を含有している、
自動車車両。
〈１４〉  前記キノンが、構造Ｉの、置換されているか又は置換されていない１，４−ベンゾキノンである、項目１３の自動車車両：
【化３】
2016127017.tif 000003
（式中、Ｒ、Ｒ’、Ｒ”、及びＲ’”は、それぞれ独立してアルキル、アルコキシ又は水素である。）
〈１５〉  前記１，４−ベンゾキノンが、２−メチル−１，４−ベンゾキノン；２−ｔ−ブチル−１，４−ベンゾキノン；２，６−ジメチル−１，４−ベンゾキノン；２，６−ジ−ｔ−ブチル−１，４−ベンゾキノン；２−ｉ−プロピル−５−メチル−１，４−ベンゾキノン；２，３−ジメトキシ−５−メチル−１，４−ベンゾキノン；及びこれらの混合物から成る群より選択される、項目１４の自動車車両。
〈１６〉  前記フルオロアルキルスルホニル塩が、リチウムビス（トリフルオロメチルスルホニル）イミド（ＬｉＴＦＳＩ）、リチウムビス（ペンタフルオロエチルスルホニル）イミド（ＬｉＢＥＴＩ）、リチウムトリフルオロメチルスルホネート、ナトリウムビス（トリフルオロメチルスルホニル）イミド（ＮａＴＦＳＩ）、マグネシウムビス（ビス（トリフルオロメチルスルホニル）イミド（Ｍｇ（ＴＦＳＩ）２）、及びこれらの混合物から成る群より選択される、項目１３の自動車車両。
〈１７〉  前記電気化学セルが、フローセルであり、かつ前記アノードチャンバーが、酸化状態に関わらず液体であるアノード酸化還元活物質を含有している、液状アノード物質を具備している、項目１３の自動車車両。
【手続補正２】
【補正対象書類名】特許請求の範囲
【補正対象項目名】全文
【補正方法】変更
【補正の内容】
【特許請求の範囲】
【請求項１】
液状カソード物質であって、
フルオロアルキルスルホニル塩；及び
置換されているか又は置換されていない１，４−ベンゾキノンであって、前記フルオロアルキルスルホニル塩に対して０．２：１〜２：１のモル比で存在しており、以下の構造を有する、１，４−ベンゾキノン：
【化１】
2016127017.tif 000004
（式中、Ｒ、Ｒ’、Ｒ”、及びＲ’”は、それぞれ独立してアルキル、アルコキシ又は水素である。）
を含有しており、
前記１，４−ベンゾキノンが、還元又は酸化されている間に液体の形態で存在している、酸化還元活物質として機能する、
液状カソード物質。
【請求項２】
前記１，４−ベンゾキノンが、２−メチル−１，４−ベンゾキノン；２−ｔ−ブチル−１，４−ベンゾキノン；２，６−ジメチル−１，４−ベンゾキノン；２，６−ジ−ｔ−ブチル−１，４−ベンゾキノン；２−ｉ−プロピル−５−メチル−１，４−ベンゾキノン；及び２，３−ジメトキシ−５−メチル−１，４−ベンゾキノン；並びにこれらの混合物から成る群より選択される、請求項１に記載の液状カソード物質。
【請求項３】
前記フルオロアルキルスルホニル塩が、リチウムビス（トリフルオロメチルスルホニル）イミド（ＬｉＴＦＳＩ）、リチウムビス（ペンタフルオロエチルスルホニル）イミド（ＬｉＢＥＴＩ）、リチウムトリフルオロメチルスルホネート、ナトリウムビス（トリフルオロメチルスルホニル）イミド（ＮａＴＦＳＩ）、マグネシウムビス（ビス（トリフルオロメチルスルホニル）イミド（Ｍｇ（ＴＦＳＩ）２）、及びこれらの混合物から成る群より選択される、請求項１に記載の液状カソード物質。
【請求項４】
液状流動化剤を更に含有している、請求項１に記載の液状カソード物質。
【請求項５】
前記液状流動化剤が、水を含有している、請求項４に記載の液状カソード物質。
【請求項６】
液状流動化剤：液状カソード物質の体積比が、１０％以下である、請求項４に記載の液状カソード物質。
【請求項７】
電気化学セルであって、
アノードチャンバー；
カソード集電体及び液状カソード物質を有する、カソードチャンバーであって、前記液状カソード物質が、
フルオロアルキルスルホニル塩；及び
置換されているか又は置換されていない１，４−ベンゾキノンであって、前記フルオロアルキルスルホニル塩に対して０．２：１〜２：１のモル比で存在しており、以下の構造を有する、１，４−ベンゾキノン：
【化２】
2016127017.tif 000005
（式中、Ｒ、Ｒ’、Ｒ”、及びＲ’”は、それぞれ独立してアルキル、アルコキシ又は水素である。）
を含有している、カソードチャンバー；並びに
前記アノードチャンバーと前記カソードチャンバーとの間に配置されている、半透過性のセパレーター
を具備しており、
セルの放電の間、酸化還元活物質が前記アノードチャンバー中で酸化され、かつ前記カソードチャンバー中で還元されて、エネルギーを生成する、
電気化学セル。
【請求項８】
前記１，４−ベンゾキノンが、２−メチル−１，４−ベンゾキノン；２−ｔ−ブチル−１，４−ベンゾキノン；２，６−ジメチル−１，４−ベンゾキノン；２，６−ジ−ｔ−ブチル−１，４−ベンゾキノン；２−ｉ−プロピル−５−メチル−１，４−ベンゾキノン；２，３−ジメトキシ−５−メチル−１，４−ベンゾキノン；及びこれらの混合物から成る群より選択される、請求項７の電気化学セル。
【請求項９】
前記フルオロアルキルスルホニル塩が、リチウムビス（トリフルオロメチルスルホニル）イミド（ＬｉＴＦＳＩ）、リチウムビス（ペンタフルオロエチルスルホニル）イミド（ＬｉＢＥＴＩ）、リチウムトリフルオロメチルスルホネート、ナトリウムビス（トリフルオロメチルスルホニル）イミド（ＮａＴＦＳＩ）、マグネシウムビス（ビス（トリフルオロメチルスルホニル）イミド（Ｍｇ（ＴＦＳＩ）２）、及びこれらの混合物から成る群より選択される、請求項７の電気化学セル。
【請求項１０】
前記電気化学セルが、フローセルであり、かつ前記アノードチャンバーが、酸化状態に関わらず液体であるアノード酸化還元活物質を含有している液状アノード物質を具備している、請求項７の電気化学セル。
【請求項１１】
電気化学セルを有する、自動車車両であって、前記電気化学セルが、：
アノードチャンバー；
カソード集電体及び液状カソード物質を有する、カソードチャンバーであって、前記液状カソード物質が、
フルオロアルキルスルホニル塩；及び
置換されているか又は置換されていない１，４−ベンゾキノンであって、前記フルオロアルキルスルホニル塩に対して０．２：１〜２：１のモル比で存在しており、以下の構造を有する、１，４−ベンゾキノン：
【化３】
2016127017.tif 000006
（式中、Ｒ、Ｒ’、Ｒ”、及びＲ’”は、それぞれ独立してアルキル、アルコキシ又は水素である。）
を含有している、カソードチャンバー；並びに
前記アノードチャンバーと前記カソードチャンバーとの間に配置されている、半透過性のセパレーター
を具備しており、
セルの放電の間、酸化還元活物質が前記アノードチャンバー中で酸化され、かつ前記カソードチャンバー中で還元されて、エネルギーを生成する、
自動車車両。
【請求項１２】
前記１，４−ベンゾキノンが、２−メチル−１，４−ベンゾキノン；２−ｔ−ブチル−１，４−ベンゾキノン；２，６−ジメチル−１，４−ベンゾキノン；２，６−ジ−ｔ−ブチル−１，４−ベンゾキノン；２−ｉ−プロピル−５−メチル−１，４−ベンゾキノン；２，３−ジメトキシ−５−メチル−１，４−ベンゾキノン；及びこれらの混合物から成る群より選択される、請求項１１の自動車車両。
【請求項１３】
前記フルオロアルキルスルホニル塩が、リチウムビス（トリフルオロメチルスルホニル）イミド（ＬｉＴＦＳＩ）、リチウムビス（ペンタフルオロエチルスルホニル）イミド（ＬｉＢＥＴＩ）、リチウムトリフルオロメチルスルホネート、ナトリウムビス（トリフルオロメチルスルホニル）イミド（ＮａＴＦＳＩ）、マグネシウムビス（ビス（トリフルオロメチルスルホニル）イミド（Ｍｇ（ＴＦＳＩ）２）、及びこれらの混合物から成る群より選択される、請求項１１の自動車車両。
【請求項１４】
前記電気化学セルが、フローセルであり、かつ前記アノードチャンバーが、酸化状態に関わらず液体であるアノード酸化還元活物質を含有している、液状アノード物質を具備している、請求項１１の自動車車両。